(57)【要約】【課題】トレイを筐体に引き込む際に、トレイの前面部の位置が筐体の開口に対して適切な位置となるようトレイを収容する。【解決手段】開口部の内周側に形成されており、トレイの前面部をガイドするガイド機構と、トレイ本体に形成されており、スライド方向に伸びるスライド溝と、トレイの位置が第２の位置となる場合に、スライド溝と嵌るガイド用リブと、を有する。また、スライド溝のガイド用リブと嵌る部位とガイド用リブとの少なくとも一方はスライド方向と交差する幅方向にバネ性を備える。【選択図】図７
2015210830.tif 000002
【特許請求の範囲】
【請求項１】
前面部と、前記前面部から延びて光ディスクを載せるトレイ本体とを有するトレイと、
前記トレイの前面部が収容する開口部を有する筐体と、
前記トレイをスライド方向にスライドさせて前記筐体から引き出した第１の位置と、前記トレイを前記筐体に引き入れて前記トレイの前記前面部が前記筐体の開口部に収まる第２の位置と、に変化させるスライド機構と、
前記開口部の内周側に形成されており、前記トレイの前面部をガイドするガイド機構と、
前記トレイ本体に形成されており、前記スライド方向に伸びるスライド溝と、
前記トレイの位置が前記第２の位置となる場合に、前記スライド溝と嵌るガイド用リブと、を有し、
前記スライド溝の前記ガイド用リブと嵌る部位と前記ガイド用リブとの少なくとも一方は前記スライド方向と交差する幅方向にバネ性を備える、ことを特徴とする光ディスク装置。
【請求項２】
前記スライド溝の後方の内幅は、後端に向けて広がっている、ことを特徴とする請求項１に記載の光ディスク装置。
【請求項３】
前記ガイド用リブは、ばね性を有する片と、前記片から出る突部と、で構成されている、ことを特徴とする請求項１または請求項２のいずれか一項に記載の光ディスク装置。
【請求項４】
前記スライド溝の前記ガイド用リブと嵌る部位は、ばね性を有する片と、前記片から出る溝部と、で構成されている、ことを特徴とする請求項１から請求項３のいずれか一項に記載の光ディスク装置。
【請求項５】
前記トレイの前記スライド溝を受けるレール部を有し、前記ガイド用リブは、前記レール部の後方に位置している、ことを特徴とする請求項１から請求項４のいずれか一項に記載の光ディスク装置。
【請求項６】
前記ガイド用リブの前記幅方向の位置は、前記レール部と異なり、
前記スライド溝は、前記レール部に保持される第１のスライド溝と、前記ガイド用リブに嵌る第２のスライド溝と、を有することを特徴とする請求項４に記載の光ディスク装置。
【発明の詳細な説明】
【技術分野】
【０００１】
本発明は、光ディスクを載せるトレイを備える光ディスク装置に関する。
【背景技術】
【０００２】
光ディスクを再生する光ディスク装置では、光ディスクを載せるトレイを備えるものが知られている。トレイに載せられた光ディスクは、トレイごと筐体の内部に引き入れられ、筐体の内部に搭載された光ピックアップにより情報の再生または記録が行われる。
【０００３】
また、トレイの引出し時のがたつきを抑制することを目的として、トレイに付勢部材を設け、トレイを引出した際、この付勢部材が筐体（シャーシ）と係わることで、トレイのがたつきを抑える発明が開示されている（例えば、特許文献１参照。）。
【０００４】
さて、トレイを筐体に引き入れた場合に、トレイの前面部の位置がシャーシに形成された開口部の適切な位置に収まる必要がある。例えば、トレイが筐体に引き入れられる際の向きが悪いと、トレイが開口部に干渉する場合も想定される。
そのため、トレイの前面部と光ディスクが載せられるトレイ本体とを別部品とし、前面部とトレイ本体との取り付けにがたつきを持たせることで、トレイが引き入れられた場合に、がたつきにより前面部が開口部の適切な位置に移動するようにしたものも知られている。
【先行技術文献】
【特許文献】
【０００５】
【特許文献１】特開２００９−２１１７４８号公報
【発明の概要】
【発明が解決しようとする課題】
【０００６】
しかし、トレイの前面部とトレイ本体とを別部品にする場合、組み付けに要する工程が増加する。また、別部品にする分だけコストアップとなる。
【０００７】
本発明は、上記課題にかんがみてなされたもので、トレイを筐体に引き込む際に、トレイの前面部の位置が筐体の開口部に対して適切な位置となるようトレイを収容することができる光ディスク装置の提供を目的とする。
【課題を解決するための手段】
【０００８】
・適用例１
上記課題を解決するために、本発明の一態様では、前面部と、前記前面部から延びて光ディスクを載せるトレイ本体とを有するトレイと、前記トレイの前面部が収容する開口部を有する筐体と、前記トレイをスライド方向にスライドさせて前記筐体から引き出した第１の位置と、前記トレイを前記筐体に引き入れて前記トレイの前記前面部が前記筐体の開口部に収まる第２の位置と、に変化させるスライド機構と、前記開口部の内周側に形成されており、前記トレイの前面部をガイドするガイド機構と、前記トレイ本体に形成されており、前記スライド方向に伸びるスライド溝と、前記トレイの位置が前記第２の位置となる場合に、前記スライド溝と嵌るガイド用リブと、を有し、前記スライド溝の前記ガイド用リブと嵌る部位と前記ガイド用リブとの少なくとも一方は前記スライド方向と交差する幅方向にバネ性を備える。
ここで、『スライド方向』とは、トレイの引き出されるおよび引き入れられる向きを意味する。
【０００９】
上記のように構成された発明では、トレイの位置が第１の位置から第２の位置に変化する過程で、トレイの前面部は、ガイド機構により開口の内側にガイドされる。また、スライド溝のガイド用リブと嵌る部位とガイド用リブとの少なくとも一方はスライド方向と交差する幅方向にバネ性を備えている。
そのため、トレイの向きが傾いており、前面部とガイド機構とが干渉する場合でも、スライド溝とガイド用リブのいずれかが撓むことで、前面部とガイド機構との干渉度合いを軽減し、ガイド機構によりトレイの前面部の位置を筐体の開口に対して適切な位置に導くことができる。
【００１０】
・適用例２
本発明の一態様では、前記スライド溝の後方の内幅は、後端に向けて広がっている。
上記のように構成された発明では、スライド溝の内幅が広がっていることで、スライド溝にガイド用リブを挿入し易くすることができる。
【００１１】
・適用例３
本発明の一態様では、前記ガイド用リブは、ばね性を有する片と、前記片から出る突部と、で構成されている。
上記のように構成された発明では、ばね性を有するガイド用リブを簡易な構成で実現することができる。
【００１２】
・適用例４
本発明の一態様では、前記スライド溝の前記ガイド用リブと嵌る部位は、ばね性を有する片と、前記片から出る溝部と、で構成されている。
上記のように構成された発明では、ばね性を有するスライド溝を簡易な構成で実現することができる。
【００１３】
・適用例５
本発明の一態様では、前記トレイの前記スライド溝を受けるレール部を有し、前記ガイド用リブは、前記レール部の後方に位置している。
上記のように構成された発明では、レール部の後方にガイド用リブを配置することで、トレイの引き入れ動作に干渉することなく本発明を適用することができる。
【００１４】
・適用例６
本発明の一態様では、前記ガイド用リブの前記幅方向の位置は、前記レール部と異なり、前記スライド溝は、前記レール部に保持される第１のスライド溝と、前記ガイド用リブに嵌る第２のスライド溝と、を有する。
上記のように構成された発明では、レール部と幅方向で異なる位置にあるガイド用リブが第２のスライド溝と嵌ることで、トレイのがたつきを抑制することができる。
【図面の簡単な説明】
【００１５】
【図１】一例としての光ディスクドライブ装置の外観図。
【図２】一例としてのメディアドライブ３０の分解図。
【図３】シャーシ４０を上側から見た上面図。
【図４】また、図４は、トレイ５０を上側から見た上面図。
【図５】トレイ５０とシャーシ４０との位置関係を示すＸ方向での断面図。
【図６】トレイ５０を筐体２０に引き入れる際に、光ディスク装置１０をフロントカバー２２側（Ｙ１側）から見た場合の、ベゼル５１と開口部２２４との位置関係を示す。
【図７】また、図７は、筐体２０の内部において、上方（Ｚ１側）から見た場合の、トレイ５０とシャーシ４０との位置関係を示す図。
【図８】第２の実施形態において、シャーシ４０を上側から見た上面図。
【図９】また、図９は、第２の実施形態において、トレイ５０を上側から見た上面図。
【図１０】第２の実施形態において、トレイ５０とシャーシ４０との位置関係を示すＸ方向での断面図。
【発明を実施するための形態】
【００１６】
以下、下記の順序に従って本発明の実施形態を説明する。
１．第１の実施形態：
（１）光ディスク装置の構成
（２）メディアドライブの構成
（３）トレイのスライドについて
２．第２の実施形態：
３．第３の実施形態：
４．その他の実施形態：
【００１７】
１．第１の実施形態：
（１）光ディスク装置の構成
図１は、一例としての光ディスク装置の外観図である。
図１に示す光ディスク装置１０は、筐体２０と、この筐体２０の内部に収容されているメディアドライブ３０と、図示しない基板と、を備える。また、光ディスク装置１０は、筐体２０の前面から光ディスク（不図示）を載せるトレイ５０を引出し可能に保持されており、このトレイ５０に光ディスクを載せ、トレイ５０を装置内部に引き入れることで、光ディスクに記録された情報の読み出し、または光ディスクに対して情報の書き込みを行う。また、読み取った情報は図示しないケーブルを通じて出力する。
【００１８】
光ディスク装置１０は、プレーヤー、レコーダー、ＰＣ等、トレイ５０に載せた光ディスクに対して情報を再生、または記録する装置であればどのようなものであってもよい。また、光ディスクは、ＣＤ（Compact Disc Drive）、ＤＶＤ（Digital Versatile Disk）、ブルーレイディスク（ブルーレイは登録商標）等を対象としている。
【００１９】
また、以下の説明では、トレイ５０がスライドする方向をＹ方向として、光ディスク装置１０の幅方向をＸ方向、光ディスク装置１０の高さ方向をＺ方向と記載する。また、Ｙ方向において、トレイ５０が引き出される側を『前方』または『Ｙ１側』、トレイ５０が引き入れられる側を『後方』または『Ｙ２側』とも記載する。そして、光ディスク装置１０を前方側（Ｙ１側）から見た場合に、Ｘ方向の左側を『Ｘ１側』、右側を『Ｘ２側』とも記載する。さらに、Ｚ方向の上方を『Ｚ１側』、下方を『Ｚ２側』とも記載する。
そして、トレイ５０が筐体２０から引き出された位置を第１の位置、トレイ５０が筐体２０の内部に引き入れられた位置を第２の位置、とも記載する。
【００２０】
筐体２０は、ハードウェアを搭載する本体シャーシ２１と、本体シャーシ２１の前方（Ｘ１側）に取り付けられるフロントカバー２２と、本体シャーシの上方（Ｚ１側）に取り付けられるトップカバー２３と、で構成されている。
【００２１】
本体シャーシ２１のＸ１側には、メディアドライブ３０が配置されている。また、本体シャーシ２１の前方（Ｙ１側）には、フロントカバー２２が固定されている。フロントカバー２２は、前面部２２１と、前面部の後方（Ｙ２側）から伸びた胴部２２２とを有する。また、前面部２２１には、液晶型の表示部２２３や、トレイ５０の前面部（後述するベゼル５１）が収容する開口部２２４が形成されている。
【００２２】
開口部２２４の内周の側壁には、トレイ５０が第１の位置から第２の位置に変化する過程でトレイ５０をガイドするガイド機構２２５が形成されている。図１に示すガイド機構２２５は開口部２２４の内周の側壁からＸ方向に出るリブにより構成されている。
【００２３】
この第１の実施形態では、本体シャーシ２１やトップカバー２３は、板金により構成されている。また、フロントカバー２２は、樹脂により構成されている。無論、筐体を構成する各部の構成はこれに限定されない。
【００２４】
（２）メディアドライブの構成
図２は、一例としてのメディアドライブ３０の分解図である。まずは、メディアドライブ３０の主要な構成について説明する。
【００２５】
図２に示すように、メディアドライブ３０は、シャーシ４０、トレイ５０、トラバースアッシー６０、クランパー７０、スライド機構８０、を有する。この実施形態では、シャーシ４０が本発明のシャーシに相当する。
【００２６】
シャーシ４０は、上部（Ｚ１側）の一部が開口する箱型形状であって、トラバースアッシー６０を収容する収容空間を備える。シャーシ４０は、底面部４１と、この底面部４１の縁から上方（Ｚ方向）に伸びた側面部４２、４３と、光ディスクを挟み込むクランパー７０を保持するクランパー保持部４４と、を備える。
この第１の実施形態では、シャーシ４０は、樹脂を用いて成形することで、底面部４１、側面部４２、４３、クランパー保持部４４と、が一体で形成されている。また、底面部４１の後部（Ｙ２側）には、トラバースアッシー６０と嵌合する嵌合ピンが形成されている。
【００２７】
シャーシ４０には、トラバースアッシー６０がＺ方向に昇降可能に保持されている。トラバースアッシー６０は、光ピックアップ６２が、主軸６３、副軸６４を介してトラバースシャーシ６１に保持されている。すなわち、光ピックアップ６２は、主軸６３、副軸６４により、トラバースシャーシ６１に対してＹ方向にスライド可能に保持されている。光ピックアップ６２は、光学式のピックアップヘッドであり、図示しない、半導体レーザー、光学部品、さらには、反射光の光量をもとにデジタル情報を生成する制御基板、を備えている。また、光ピックアップ６２の主軸６３で保持される側には、ティース６５が接続されている。ティース６５は、スクリューモーター６６の回転軸６７と噛み合っており、スクリューモーター６６の回転に伴って、光ピックアップ６２をトラッキング方向（Ｙ方向）に移動させる。
例えば、スクリューモーター６６は、ＤＣモーターや、ステッピングモーターである。
また、トラバースシャーシ６１には、スピンドルモーター（不図示）を介して光ディスクを回転させるターンテーブル６８が取り付けられている。スピンドルモーターは、例えば、ＤＣモーターや、ステッピングモーターである。
【００２８】
シャーシ４０の前方（Ｙ１側）には、スライド機構８０を介してトレイ５０がＹ方向にスライド可能に取り付けられている。スライド機構８０は、プーリー、ベルト、ギアにより構成され、図示しないモーターの回転により駆動する。また、シャーシ４０の前方には、スライド機構８０の駆動に応じてトラバースアッシー６０を昇降（Ｚ方向にスライド）させる昇降部９０が取り付けられている。
【００２９】
次に、本発明にかかるシャーシ４０とトレイ５０の詳細な構成について説明する。
図３は、シャーシ４０を上側から見た上面図である。また、図４は、トレイ５０を上側から見た上面図である。なお、図３では、説明を容易にするため、クランパー保持部４４を省略して示している。
【００３０】
図３に示すシャーシ４０（底面部４１）は、矩形状であって、Ｘ方向の両端にはＹ方向に伸びたレール部４５、４５が形成されている。レール部４５、４５は、底面部４１からＺ１側に出る突形状により構成されている。このレール部４５、４５は、トレイ５０のスライド溝５４（後述）を下方から受ける。この第１の実施形態では、レール部４５、４５は、Ｙ方向に不連続に形成されている。無論、レール部４５の形状はこれに限定されず、Ｙ方向に連続に形成されていてもよい。
【００３１】
また、レール部４５の後方（Ｙ２側）には、Ｘ方向にバネ性を有するガイド用リブ４６、４６が形成されている。図３に示すガイド用リブ４６、４６は、底面部４１に形成された開口４１ａの内側でＹ２側に伸びる片４６ａと、この片４６ａの端部から上側（Ｚ１側）に出る突部４６ｂとで構成されている。すなわち、ガイド用リブ４６の片４６ａは一部で底面部４１に繋がることで、バネ性を有している。
この第１の実施形態では、ガイド用リブ４６は、レール部４５のＹ方向に伸びる延長上に形成されている。すなわち、ガイド用リブ４６は、Ｘ方向において、レール部４５と同じ位置に形成されている。ガイド用リブ４６は、例えば、シャーシ４０の成形時に一体で形成されるが、シャーシ４０を成形した後、抜き加工により形成するものであってもよい。
【００３２】
図４に示すトレイ５０は、ベゼル（前面部）５１と、このベゼル５１から伸びて光ディスクを載せるトレイ本体５２と、を有する。ベゼル５１は幅方向（Ｘ方向）の長さがトレイ本体５２と比べて長い矩形状である。また、ベゼル５１には、フロントカバー２２の開口部２２４に形成されたガイド機構２２５と係わるリブ５１１が形成されている。図４に示すリブ５１１は、ベゼル５１の裏面（Ｙ１側の面）からＹ２方向に出ている。
また、トレイ本体５２は、ベゼル５１の裏面（Ｙ２側の面）から伸びた薄板形状であり、光ディスクを載せる溝部５２ａを有している。この第１の実施形態では、トレイ５０はベゼル５１とトレイ本体５２が一体で形成されている。
【００３３】
また、トレイ本体５２の裏面にはスライド機構８０のギアと噛み合うラック５３が形成されている。そのため、スライド機構８０のギアが回転することで、ラック５３によりＹ方向の力がトレイ本体５２に伝わり、トレイ５０をＹ方向にスライドさせる。
【００３４】
また、トレイ本体５２の裏面には、Ｙ方向に伸びたスライド溝５４、５４が形成されている。スライド溝５４は、シャーシ４０に形成されたレール部４５、４５に下側（Ｚ２側）からスライド可能に保持される。また、スライド溝５４のＹ２側の端部の側壁は、Ｙ１側に進むにつれて内側に傾斜している。すなわち、Ｙ２側の端部の内幅Ｗ１はＹ１側の内幅Ｗ２と比べて大きくなっており、Ｙ２側からＹ１側に進むにつれて側壁が内側にスロープしている。
【００３５】
図５は、トレイ５０とシャーシ４０との位置関係を示すＸ方向での断面図である。図５（ａ）は、トレイ５０が筐体２０から引き出されて第１の位置となっている場合のトレイ５０とシャーシ４０との位置関係を示す断面図である。また、図５（ｂ）は、トレイ５０が筐体２０に収容されて第２の位置となっている場合のトレイ５０とシャーシ４０との位置関係を示す断面図である。
【００３６】
トレイ５０の位置が第１の位置であると、図５（ａ）に示すように、トレイ５０のスライド溝５４は、シャーシ４０のレール部４５に下側（Ｚ２側）で保持されている。また、トレイ５０を筐体２０に対してＹ２側に引き入れると、スライド溝５４は、レール部４５に沿って筐体２０内をＹ２側にスライドする。
【００３７】
そして、トレイ５０をＹ２側にスライドさせて、トレイ５０の後方（Ｙ２側）の端がシャーシ４０の後端側に達すると、トレイの位置が第２の位置となる。この第２の位置では、図５（ｂ）に示すように、トレイ５０のスライド溝５４の後端（Ｙ２側の端部）は、ガイド用リブ４６と嵌り、筐体２０内に保持される。
【００３８】
（３）トレイのスライドについて
次に、図６、図７を用いて、トレイ５０を筐体２０に引き入れる際の作用を説明する。図６は、トレイ５０を筐体２０に引き入れる際に、光ディスク装置１０をフロントカバー２２側（Ｙ１側）から見た場合の、ベゼル５１と開口部２２４との位置関係を示す図である。また、図７は、筐体２０の内部において、上方（Ｚ１側）から見た場合の、トレイ５０とシャーシ４０との位置関係を示す図である。
【００３９】
まず、トレイ５０が筐体２０から引き出された状態（第１の位置）で、ユーザが図示しないリモコン装置を操作して、トレイ５０をＹ２側に引き入れる。このとき、図６（ａ）に示すように、トレイ５０のベゼル５１がフロントカバー２２の開口部２２４に対してＸ２側に傾いているとする。この状態では、ベゼル５１の中心Ｓ１は、開口部２２４の中心Ｓ２に対して、図中左側（Ｘ１側）にずれている。また、図７（ａ）に示すように、トレイ５０のスライド溝５４のＸ方向の位置は、ガイド用リブ４６に対して図中左側（Ｘ１側）にずれている。
そして、スライド機構８０が駆動して、トレイ５０のＹ２側への引き入れを開始する。このとき、ベゼル５１が筐体２０の開口部２２４に達するまでは、トレイ本体５２と開口部２２４との隙間により、トレイ５０が筐体２０と干渉することなく、レール部４５に沿って引き入れられる。
【００４０】
そして、ベゼル５１のリブ５１１が開口部２２４のガイド機構２２５にガイドされ、ベゼル５１を開口部２２４の内部に導く過程で、図７（ｂ）に示すように、ガイド用リブ４６の突部４６ｂがスライド溝５４に挿入することで、ガイド用リブ４６の片４６ａが図中左方向（Ｘ１方向）に撓む。ここで、スライド溝５４の後端側（Ｙ２側）の内幅が広がっているため、突部４６ｂの先端を引き入れることができる。そして、トレイ５０のＹ２側への引き入れを継続することで、スライド溝５４の内壁に沿って、ガイド用リブ４６が相対的にスライド溝５４のＹ１方向に進む。
【００４１】
そして、開口部２２４のガイド機構２２５によりベゼル５１が開口部２２４の適切な位置にガイドされる。すなわち、図６（ｂ）に示すように、ガイド機構２２５は、ベゼル５１を図中右側（Ｘ２側）に移動させ、ベゼル５１の中心Ｓ１を開口部２２４の中心Ｓ２に近づける。このとき、図７（ｃ）に示すように、ベゼル５１がガイド機構２２５によりガイドされることで、ガイド用リブ４６はバネ性により撓みが解消する。
【００４２】
以上説明したように、この第１の実施形態では、トレイ５０が引き入れられて第１の位置から第２の位置に変化する過程で、ベゼル５１とガイド機構２２５とが干渉する場合でも、スライド溝５４とガイド用リブ４６のいずれかが撓むことで、ベゼル５１とガイド機構２２５との干渉度合いを軽減し、ガイド機構２２５によりトレイ５０のベゼル５１の位置を開口部２２４に対して適切な位置に導くことができる。
そして、ガイド用リブ４６は、ばね性を有する片と、片から出る突部と、で構成されているため、ばね性を有するガイド用リブを簡易な構成で実現することができる。
また、レール部４５の後方にガイド用リブ４６を配置することで、トレイ５０の引き入れ動作に干渉することなく本発明を適用することができる。
【００４３】
２．第２の実施形態：
この第２の実施形態では、シャーシ４０に形成されるガイド用リブ４６の幅方向（Ｘ方向）の位置が、レール部４５と異なる構成が第１の実施形態と異なる。
【００４４】
図８は、第２の実施形態において、シャーシ４０を上側から見た上面図である。また、図９は、第２の実施形態において、トレイ５０を上側から見た上面図である。なお、図８では、説明を容易にするため、クランパー保持部を省略して示している。
【００４５】
図８に示すシャーシ４０（底面部４１）は、Ｘ方向の両端にはＹ方向に伸びたレール部４５、４５が形成されている。また、シャーシ４０のレール部４５の後方（Ｙ２側）には、ガイド用リブ４６、４６が形成されている。この第２の実施形態では、ガイド用リブ４６は、Ｘ方向において、レール部４５と比べて内側に位置している。すなわち、ガイド用リブ４６は、Ｘ方向において、レール部４５と異なる位置に形成されている。また、第２の実施形態では、ガイド用リブ４６は、シャーシ４０からＺ１側に出る突部により形成されており、Ｘ方向にバネ性を有していない。
【００４６】
図９に示すトレイ５０のトレイ本体５２の裏面には、Ｙ方向に伸びたスライド溝５４、５４が形成されている。また、この第２の実施形態では、スライド溝５４は、第１のスライド溝５４１と、Ｘ方向に付勢力を有するよう形成された第２のスライド溝５４２と、を有する。第１のスライド溝５４１は、トレイ本体５２の裏面にＹ方向に伸びて形成されている。また、第２のスライド溝５４２は、第１のスライド溝５４１の後方（Ｙ２側）に、形成されている。この第２のスライド溝５４２は、底面部４１に形成された開口の内側でＹ２側に伸びる片５４２ａ、５４２ａと、この片５４２ａの端部からＺ２側に出る溝部５４２ｂとで構成されている。すなわち、溝部５４２ｂは、片５４２ａによりＸ方向にバネ性が与えられる。また、第２のスライド溝５４２の溝部５４２ｂが形成される位置は、第１のスライド溝５４１と比べて内側（Ｘ方向）に位置している。この第２の実施形態においても、ベゼル５１には、ガイド機構２２５と係わるリブ５１１が形成されている。
【００４７】
図１０は、第２の実施形態において、トレイ５０とシャーシ４０との位置関係を示すＸ方向での断面図である。図１０（ａ）は、トレイ５０が筐体２０から引き出されて第１の位置となっている場合のトレイ５０とシャーシ４０との位置関係を示す断面図である。また、図１０（ｂ）は、トレイ５０が筐体２０に収容されて第２の位置となっている場合のトレイ５０とシャーシ４０との位置関係を示す断面図である。
【００４８】
トレイ５０の位置が第１の位置であると、図１０（ａ）に示すように、トレイ５０の第１のスライド溝５４１は、シャーシ４０のレール部４５に下側（Ｚ２側）で保持されている。また、トレイ５０を筐体２０に対してＹ２側に引き入れると、第１のスライド溝５４１は、レール部４５に沿って筐体２０内をＹ２側にスライドする。なお、この場合、第２のスライド溝５４２は、レール部４５およびガイド用リブ４６と嵌っていない。
【００４９】
そして、トレイ５０の後方（Ｙ２側）の端がシャーシ４０の後端側に達すると、図１０（ｂ）に示すように、トレイ５０の第２のスライド溝５４２は、ガイド用リブ４６と嵌る。また、開口部２２４のガイド機構２２５がベゼル５１をガイドする際、トレイ５０の向きが傾いていても、第２のスライド溝５４２がＸ方向に撓むことで、ガイド機構２２５とベゼル５１（リブ５１１）との干渉を低減する。そして、ガイド機構２２５がベゼル５１を開口部２２４の適切な位置に導くことで、トレイ５０を第２の位置に変化させる。このとき、第２のスライド溝５４２の撓みも解消する。
【００５０】
以上説明したように、この第２の実施形態では、第１の実施形態での効果に加えて以下の効果を奏する。すなわち、レール部４５と幅方向で異なる位置にあるガイド用リブ４６が第２のスライド溝５４２と嵌ることで、トレイ５０のがたつきを抑制することができる。
また、第２のスライド溝５４２は、ばね性を有する片と、片から出る溝部と、で構成されているため、ばね性を有するスライド溝を簡易な構成で実現することができる。
【００５１】
３．第３の実施形態：
ガイド用リブ４６は、シャーシ４０のＸ方向の両端に配置するものに限定されず、シャーシ４０のＸ方向のいずれかの端に１つだけ配置されるものであってもよい。すなわち、この第３の実施形態では、シャーシ４０のＸ方向の両端にはＹ方向に伸びたレール部４５、４５が形成されている。また、シャーシ４０のＸ方向のいずれかの端には、レール部４５の後方（Ｙ２側）に、ガイド用リブ４６が形成されている。
また、トレイ５０のトレイ本体５２の裏面には、Ｙ方向に伸びたスライド溝５４、５４が形成されており、トレイ５０の位置が第２の位置になることで、いずれかのスライド溝がガイド用リブ４６と嵌る。
【００５２】
以上説明したように、この第３の実施形態では、第１の実施形態での効果に加えて以下の効果を奏する。すなわち、シャーシ４０のいずれかの端にガイド用リブ４６を備えるため、簡易な構成で本発明を実現することができる。
【００５３】
４．その他の実施形態：
スライド溝やレール部の形状は上記したものに限定されず、トレイをスライドさせるものであればどのような形状であってもよい。
また、ガイド用リブまたはスライド溝のいずれかがばね性を有することは一例に過ぎず、ガイド用リブとスライド溝のいずれもばね性を有するものであってもよい。
【００５４】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００５５】
１０…光ディスク装置、２０…筐体、２１…本体シャーシ、２２…フロントカバー、２３…トップカバー、３０…メディアドライブ、４０…シャーシ、４１…底面部、４２、４３…側面部、４４…クランパー保持部、４５…レール部、４６…ガイド用リブ、５０…トレイ、５１…ベゼル、５２…トレイ本体、５３…ラック、５４…スライド溝、６０…トラバースアッシー、６１…トラバースシャーシ、６２…光ピックアップ、６３…主軸、６４…副軸、６５…ティース、６６…スクリューモーター、６７…回転軸、６８…ターンテーブル、７０…クランパー、８０…スライド機構、９０…昇降部、２２１…前面部、２２２…胴部、２２３…表示部、２２４…開口部、２２５…ガイド機構、５１１…リブ、５４１…第１のスライド溝、５４２…第２のスライド溝
【図１】
2015210830.tif 000003
【図２】
2015210830.tif 000004
【図３】
2015210830.tif 000005
【図４】
2015210830.tif 000006
【図５】
2015210830.tif 000007
【図６】
2015210830.tif 000008
【図７】
2015210830.tif 000009
【図８】
2015210830.tif 000010
【図９】
2015210830.tif 000011
【図１０】
2015210830.tif 000012